(57)【要約】      （修正有）【課題】外気の流れをシールド内側に向け曇りを防ぎ、また外気を直接着用者顔面に当て体感温度を低下させると共に、換気効率を向上させるヘルメットシールド防曇および換気顔面冷却システムを提供する。【解決手段】ヘルメットシールド２に外気導入口３を設け、ヘルメット本体１に導入外気整流板４を設置し、導入外気を効果的にヘルメットシールド２内側の防曇を持続的に実施することを特徴とする。【選択図】図１
0003172580.tif 000002
【実用新案登録請求の範囲】
【請求項１】
ヘルメットシールドに外気導入口を設け、導入外気整流板によるヘルメットシールド防曇装置
【請求項２】
ヘルメットシールドに外気導入口を設け、導入外気整流板格納し不使用とすることにより、導入外気を直接着用者顔面等に当て体感温度を低下、ヘルメット内の換気効率を向上させる装置。
【考案の詳細な説明】
【技術分野】
【０００１】  この考案は、ヘルメットシールド内側の防曇および換気顔面冷却に関する。
【背景技術】
【０００２】  従来のヘルメットシールドの防曇は、ヘルメット本体から吸入した外気をシールド内側  に導く方式、シールドを二重化にする方式、曇り止め薬品の塗付け方式であった。
【考案の概要】
【考案が解決しようとする課題】
【０００３】  この考案は、安価で防曇効果の持続するシステムを提供するものである。
【課題を解決するための手段】
【０００４】  以上の課題を解決するために、第一考案は、ヘルメットシールドに外気導入口を設置し、導入外気整流板で導入外気の流れをシールド内側に向け、防曇を目的としたことを特徴とするヘルメットシールド防曇装置である。
また、第二考案は、ヘルメットシールドの防曇が必要ない場合、導入外気整流板を格納させることにより着用者顔面へ外気を直接当て、着用者の顔面冷却、換気の向上を図る機能を有したヘルメットシールド防曇装置である。
【考案の効果】
【０００５】  第一考案によれば、ヘルメットシールドに外気導入口を設置し、導入外気整流板で外気の流れをシールド内側に向け曇りを防ぐ。または第二考案によれば、導入外気整流板を格納させることにより外気が直接着用者顔面に当たるため体感温度を低下させると共に、換気効率をを向上させる。
【図面の簡単な説明】
【０００６】
【図１】本考案の実施形態（ジェットヘルメット）を示す斜視図である。
【図２】本考案の実施形態（ジェットヘルメット）の断面図である。
【図３】本考案の導入外気整流板を使用しない実施形態（ジェットヘルメット）を示す斜視図である。
【図４】本考案の導入外気整流板を使用しない実施形態（ジェットヘルメット）の断面図である。
【図５】本考案の実施形態（フルフェイスヘルメット）を示す斜視図である。
【図６】本考案の実施形態（フルフェイスヘルメット）の断面図である。
【図７】本考案の導入外気整流板を使用しない実施形態（フルフェイスヘルメット）を示す斜視図である。
【図８】本考案の導入外気整流板を使用しない実施形態（フルフェイスヘルメット）を示すの断面図である。
【図９】本考案の外気導入口を複数設置実施形態（フルフェイスヘルメット）を示す斜視図である。
【図１０】本考案の外気導入口を複数設置実施形態（フルフェイスヘルメット）の断面図である。
【考案を実施するための形態】
【０００７】  この考案の一実施形態を、図２に示す。
ヘルメットシールドの所要場所に外気導入口３（１〜複数個）を設け、ヘルメット本体１側に外気導入口３からの導入外気をヘルメットシールド２内側に整流させるための導入外気整流板４を設置する。
【０００８】「実施形態の効果」
この実施形態によれば、外気導入口３から導入された外気は導入外気整流板４によりヘルメットシールド２の内側へ整流されるため、ヘルメットシールド２内側に発生する曇りを早期に解消すると共に、防曇効果が持続する。また、図３のとおり導入外気整流板を格納し不使用とした場合、外気が導入外気整流板に当たらないことにより着用者顔面等に直接当たり体感温度を低下させると共に、ヘルメット内換気効率を向上させることができる。
「他の実施形態」
図１の実施形態では、ヘルメットシールド２の一部に外気導入口３を設置するが、他の実施形態では他の位置に複数設置したものでも良い。
【符号の説明】
【０００９】１  ヘルメット本体            ２  ヘルメットシールド
３  外気導入口                ４  導入外気整流板
【図１】
0003172580.tif 000003
【図２】
0003172580.tif 000004
【図３】
0003172580.tif 000005
【図４】
0003172580.tif 000006
【図５】
0003172580.tif 000007
【図６】
0003172580.tif 000008
【図７】
0003172580.tif 000009
【図８】
0003172580.tif 000010
【図９】
0003172580.tif 000011
【図１０】
0003172580.tif 000012
【手続補正書】
【提出日】平成23年10月6日(2011.10.6)
【手続補正１】
【補正対象書類名】明細書
【補正対象項目名】全文
【補正方法】変更
【補正の内容】
【考案の詳細な説明】
【技術分野】
【０００１】  この考案は、ヘルメットシールド内側の防曇および換気顔面冷却に関する。
【背景技術】
【０００２】  従来のヘルメットシールドの防曇は、ヘルメット本体から吸入した外気をシールド内側に導く方式、シールドを二重化にする方式、曇り止め薬品の塗付け方式であった。
【考案の概要】
【考案が解決しようとする課題】
【０００３】  この考案は、安価で持続する防曇効果および換気顔面冷却を提供するものである。
【課題を解決するための手段】
【０００４】  以上の課題を解決するために、ヘルメットシールドに外気導入口を設置し、導入外気整流板で導入外気の流れをシールド内側に向け、防曇および換気顔面冷却を目的としたことを特徴とするヘルメットシールド防曇装置である。
【考案の効果】
【０００５】  ヘルメットシールドに外気導入口を設け、導入した外気をヘルメットシールド内側又はヘルメット本体に設置した導入外気整流板に当て、ヘルメットシールド内側に流れるように外気を整流し、整流された導入外気によるヘルメットシールド内側の曇りを防ぐ。また、導入外気が着用者顔面に当たるため体感温度を低下させると共に、換気効率をを向上させる。
【図面の簡単な説明】
【０００６】
【図１】本考案の実施形態（ジェットヘルメット）を示す斜視図である。
【図２】本考案の実施形態（ジェットヘルメット）の断面図である。
【図３】本考案の外気導入口のみ使用の実施形態（ジェットヘルメット）を示す斜視図である。
【図４】本考案の外気導入口のみ使用の実施形態（ジェットヘルメット）の断面図である。
【図５】本考案の実施形態（フルフェイスヘルメット）を示す斜視図である。
【図６】本考案の実施形態（フルフェイスヘルメット）の断面図である。
【図７】本考案の外気導入口のみ使用の実施形態（フルフェイスヘルメット）を示す斜視図である。
【図８】本考案の外気導入口のみ使用の実施形態（フルフェイスヘルメット）の断面図である。
【図９】本考案の外気導入口を複数設置実施形態（フルフェイスヘルメット）を示す斜視図である。
【図１０】本考案の外気導入口を複数設置実施形態（フルフェイスヘルメット）の断面図である。
【考案を実施するための形態】
【０００７】  この考案の一実施形態を、図２に示す。
ヘルメットシールドの所要場所に外気導入口３（１〜複数個）を設け、ヘルメット本体１側に外気導入口３からの導入外気をヘルメットシールド２内側に整流させるための導入外気整流板４を設置する。
【０００８】「実施形態の効果」
この実施形態によれば、走行中外気導入口３から導入された外気は導入外気整流板４によりヘルメットシールド２の内側へ整流されるため、ヘルメットシールド２内側に発生する曇りを早期に解消すると共に、走行中防曇効果が持続する。また、着用者顔面等に導入外気が当たり体感温度を低下させると共に、ヘルメット内換気効率を向上させることができる。
「他の実施形態」
図１の実施形態では、ヘルメットシールド２の一部に外気導入口３を設置するが、他の実施形態では他の位置に複数設置したものでも良い。
【符号の説明】
【０００９】１  ヘルメット本体            ２  ヘルメットシールド
３  外気導入口                ４  導入外気整流板
【手続補正２】
【補正対象書類名】実用新案登録請求の範囲
【補正対象項目名】全文
【補正方法】変更
【補正の内容】
【実用新案登録請求の範囲】
【請求項１】
ヘルメットシールドに外気導入口を設け、走行することにより導入される外気をヘルメットシールド内側又はヘルメット本体に設置した導入外気整流板に当て、ヘルメットシールド内側に流れるように外気を整流し、整流された導入外気によるヘルメットシールド内側の曇りを防ぐヘルメットシールド防曇装置
【請求項２】
ヘルメットシールドに外気導入口を設け、走行することにより導入される外気を着用者顔面に当て体感温度を低下、ヘルメット内の換気効率を向上させる装置